(57)【特許請求の範囲】
【請求項１】
ＤＡＢストリームにおける送信機識別情報、即ち、ＴＩＩを検出する方法において、
（ａ）入ってくるＤＡＢストリームに存在する複数のヌルシンボルの内の１つおきに選択されたヌルシンボルのスペクトルに含まれるＴＩＩの対を差動復調することによって、それぞれ復調されたヌルシンボルのスペクトルを得る場合に、
（ａ１）第１及び第２の周波数を含む周波数の対をグループ分けすることと、
（ａ２）上記第１の周波数の複素振幅とそれに共役な上記第２の周波数の複素振幅の積を計算すること、
を行い、
（ｂ）この復調されたヌルシンボルのスペクトルの搬送波の位相をＴＦＰＲ位相基準符号によって補正することと、
（ｃ）閾値を決めることと、
（ｄ）搬送波のレベルを前のステップ（ｃ）にて決められた閾値と比較することによって、搬送波が設定されているか否かを決定することと、
を含むことを特徴とするＤＡＢストリームにおける送信機識別情報の検出方法。
【請求項２】
上記グループ分けされた周波数の対はそれぞれＴＩＩ対の場合と同一の周波数であることを特徴とする請求項１記載のＤＡＢストリームにおける送信機識別情報の検出方法。
【請求項３】
上記ステップ（ｂ）は上記差動復調されたＴＩＩ対の実数部分と虚数部分を交換し、符号を変えることを含むことを特徴とする請求項１又は２記載のＤＡＢストリームにおける送信機識別情報の検出方法。
【請求項４】
上記ステップ（ｂ）は上記差動復調されたＴＩＩ対から、上記入ってくるＤＡＢストリームにて送信されたＴＦＰＲ基準符号の対応する位相を引き算することを含むことを特徴とする請求項１又は２記載のＤＡＢストリームにおける送信機識別情報の検出方法。
【請求項５】
上記差動復調するステップ（ａ）又は上記位相補正するステップ（ｂ）の後に、上記ＤＡＢストリームのＴＩＩ対を含む幾つかの入ってくるヌルシンボルを平均化することを特徴とする請求項１から４のいずれか１項記載のＤＡＢストリームにおける送信機識別情報の検出方法。
【請求項６】
上記差動復調するステップ（ａ）の前に、上記ＴＩＩ対を含むヌルシンボルのスペクトルと上記ＴＩＩを含まない先の又は後のヌルシンボルのスペクトルとの差を計算することを特徴とする請求項１から５のいずれか１項記載のＤＡＢストリームにおける送信機識別情報の検出方法。
【請求項７】
上記ＴＩＩ対を差動復調するステップ（ａ）はそれぞれ、入って来るＤＡＢストリームのＴＩＩ対を含むヌルシンボルのスペクトル全体を差動復調するか又は入って来るＤＡＢストリームのＴＩＩ対を含むヌルシンボルのＯＦＤＭ（直交周波数分割多重）搬送波を有する部分だけを差動復調することを特徴とする請求項１から６のいずれか１項記載のＤＡＢストリームにおける送信機識別情報の検出方法。
【請求項８】
上記ＴＩＩ対を差動復調するステップ（ａ）はそれぞれ、高速情報チャンネルに送信されたＴＩＩデータベースの全ての主及びサブ識別情報の結合体をコード化することと、上記ＴＩＩデータベースの全ての主及びサブ識別情報の結合体のコード化によって得られた、入って来るＤＡＢストリームのＴＩＩ対を含むヌルシンボルのスペクトルの位置のみを差動復調することを含むことを特徴とする請求項１から６のいずれか１項記載のＤＡＢストリームにおける送信機識別情報の検出方法。
【請求項９】
上記復調された搬送波の位相の補正のステップ（ｂ）の後に、上記補正された搬送波の位相を有する復調されたヌルシンボルのスペクトルの櫛形ブロックを付加するステップが実行されることを特徴とする請求項１から８のいずれか１項記載のＤＡＢストリームにおける送信機識別情報の検出方法。
【請求項１０】
上記閾値を決めるステップ（ｃ）は、
（ｃ１）ＴＩＩ対を含む実際のヌルシンボルの信号の帯幅におけるＦＦＴ（高速フーリエ変換）スペクトルの平均振幅を計算することと、
（ｃ２）上記計算された平均振幅より得られた値を閾値として設定することと、
を含むことを特徴とする請求項１から９のいずれか１項記載のＤＡＢストリームにおける送信機識別情報の検出方法。
【請求項１１】
上記閾値を決めるステップ（ｃ）は、
（ｃ１）ＴＩＩ対を含むヌルシンボルの前の又は後のヌルシンボルの信号の帯幅におけるＦＦＴ（高速フーリエ変換）スペクトルの平均ノイズレベルを計算することと、
（ｃ２）ＴＩＩ対を有するヌルシンボルを含む、入ってくるＤＡＢストリームの次のフレームに対して上記平均ノイズレベルを記憶することと、
（ｃ３）上記記憶された平均ノイズレベルより得られた値を閾値として設定することと、
を含むことを特徴とする請求項１から１０のいずれか１項記載のＤＡＢストリームにおける送信機識別情報の検出方法。
【請求項１２】
上記閾値が設定される前に、上記計算された平均値に、周波数ブロック数が乗算されること（Ｂ３；Ａ４）を特徴とする請求項１０又は１１記載のＤＡＢストリームにおける送信機識別情報の検出方法。
【請求項１３】
上記閾値が設定される前に、上記計算された平均値に、信頼性ファクタが乗算されることを特徴とする請求項１０、１１又は１２記載のＤＡＢストリームにおける送信機識別情報の検出方法。
【請求項１４】
上記信頼性ファクタは１．２５であることを特徴とする請求項１３記載のＤＡＢストリームにおける送信機識別情報の検出方法。
【発明の詳細な説明】
【０００１】
【発明の属する技術分野】
本発明は、送信機識別情報（ＴＩＩ）の検出に関し、より詳細には、ＤＡＢ（デジタルオーディオ放送）ストリームにおけるそのような送信機識別情報を検出することに関する。
【０００２】
【従来の技術】
図９に完全なＤＡＢ装置の概略を示す。このような装置は、送信側に、音声エンコーダ１、畳み込みエンコーダ２、時間インタリービング回路３、ＴＩＩデータベースを供えた高速情報チャンネル（ＦＩＣ）を発生する回路４、マルチプレクサ５、周波数インタリービング回路６、位相基準符号発生回路７、ヌルシンボル発生器及びＴＩＩ発生回路８、マルチプレクサ９、ＩＦＦＴ（逆高速フーリエ変換）回路１０、Ｄ／Ａ変換器１１、及びチャンネル１３を介して音声データ及び情報データを送信するためのＲＦ送信機１２を含み、受信側に、ＲＦ受信機１４、Ａ／Ｄ変換器１５、ＦＦＴ（高速フーリエ変換）回路１６、同期回路１７、ＴＩＩ検出回路１８、復調回路１９、デインタリービング回路２０、ビタビデコーダ２１及び、チャンネル１３からの音声データ及び情報データを再生するための音声デコーダ２２とを含む。これらの構成要素は既知の態様にて接続され作動する。本発明はＴＩＩ検出回路１８にて起きるＴＩＩの検出に関するものであり、従って、以下の説明はそれに関するもののみである。
【０００３】
ＥＴＳ（ヨーロッパ通信規格）３００４０１によると、ＤＡＢストリームはいわゆるヌルシンボル（零符号）によって開始し、受信機の同期のためのいわゆるＴＦＰＲシンボルがそれに続く。ヌルシンボルはＴＩＩ信号を搬送するように定義される。単一周波数のネットワークにおける各送信機には、唯一的な識別のための主識別情報とサブ識別情報とが割り当てられる。この識別情報は、ＤＡＢの伝送モードＩ−ＩＶに従って、ヌルシンボルのスペクトルにおける１６／８／４／２の搬送波（キャリア）の対の集合を有する所定のパターンにマップ化される。３８４個の有効な搬送波を有するモードＩＩに基づいて、いわゆる櫛形ブロックが定義される。モードＩ及びＩＶに対して、このブロックはそれぞれ４回及び２回繰り返される。モードＩＩＩに対して、半ブロックのみが利用可能である。このパターンは、ヌルシンボルのスペクトルにおける２番目のＤＡＢフレーム毎に送信される。この搬送波の集合は検出されるべきであり、主及びサブ識別情報は計算されるべきである。更に、単一周波数のネットワークにて入手可能な全ての主及びサブ識別情報の完全なリストは、データストリームの高速情報チャンネル、即ち、ＦＩＣ内にて送信される。ＴＩＩを利用することによって、受信機はデータストリームからローカル情報を自動的にフィルタすることができる。
【０００４】
図１１は受信機に入ってくるＤＡＢストリームのＴＩＩを含むヌルシンボルのスペクトルを示す。図示のスペクトルはＤＡＢモードＩにて送信され、４個の櫛形ブロックが利用可能である。これは、ＴＩＩ対の集合が第２番目のヌルシンボル（即ち１つおきのヌルシンボル）の各々内にて４回送信されることを意味する。
【０００５】
ＴＩＩの構造は可能な航法に関して定義されていた。隣接の搬送波の対を使用することによって、これらの位相差を評価することによって伝搬の遅延の評価が可能となる。もし、３個の送信機の受信、即ち、３個のＴＩＩコードの受信から３個の遅延が知られるなら、モバイル受信の位置決定は双曲線航法によって可能である。
【０００６】
第１０図に示されているように、ソニー株式会社（ドイツ連邦共和国）及びシュツットガルト大学情報伝達学部のために作成されたペトラ・スチックス氏による学位論文“同波放送網における送信機識別”において、次のようなＤＡＢストリームにおけるＴＩＩの検出方法が公表された。
【０００７】
先ず第１のステップＰ１にて、図１１に示されているようなＴＩＩを含むヌルシンボルのスペクトルＳ（ω）が得られる。次のステップＰ２及びＰ３では、上記のヌルシンボルにて送信された４個の等しい櫛形ブロックの複素数振幅の絶対値が付加される。なぜなら、ＴＩＩ搬送波の振幅だけが検出されなければならず、搬送波の単一の位相はこの検出には関係ないからである。この場合、もし信号がノイズのレベルより高いなら、信号のパワーはノイズに比べて増加される。その後、ステップＰ４にて、２つの隣接する搬送波が付加される。なぜなら、常に搬送波の対はＴＩＩに対して設定され、それによって信号のパワーは再度増加されるからである。ステップＰ９及びＰ１０にて搬送波の集合が主及びサブ識別情報にデコードされる前に、ステップＰ５にて各搬送波が設定されているかどうかが決定される。
【０００８】
従って、閾値が必要である。この閾値は、ステップＰ６にてＤＡＢブロックの左及び右のスペクトルのノイズパワーより得られ、ステップＰ７にてＴＩＩ周波数ブロック数が乗算され、ステップＰ８にて２が乗算されてから、ステップＰ５にて搬送波が設定されているか否かを決定するために使用される。
【０００９】
ある搬送波の集合が存在するかどうかを決定するためのこの方法は、信号対ノイズ比が低いときには失敗する。閾値を決めるこの方法は、図１１に示すような受信機におけるスペクトルの形状のために、実際には利用可能ではないという理由から、それは最終的ではない。更に、評価された伝搬遅延の誤差は信号対ノイズ比が低いと指数関数的に上昇するため、航法又は位置測定は極めて不正確となる。
【００１０】
【発明が解決しようとする課題】
従って、本発明の目的は、ＤＡＢストリームのヌルシンボルにおける送信機識別情報信号の検出方法の改良にあり、それによって信号対ノイズ比が低いときでも信頼性ある結果を提供することができる。
【００１１】
【課題を解決するための手段】
本発明によるＤＡＢストリームにおける送信機識別情報を検出するための方法は次のようなステップを含む。
１）入ってくるＤＡＢストリームに存在する複数のヌルシンボルの内の１つおきに選択されたヌルシンボルのスペクトルに含まれるＴＩＩの対を差動復調することによって、それぞれ復調されたヌルシンボルのスペクトルを得る場合に、
（ａ１）第１及び第２の周波数を含む周波数の対をグループ分けすることと、
（ａ２）上記第１の周波数の複素振幅とそれに共役な上記第２の周波数の複素振幅の積を計算すること、
を行い、
２）この復調されたヌルシンボルのスペクトルの搬送波の位相をＴＦＰＲ位相基準符号によって補正すること
３）閾値を決めること
４）搬送波のレベルを前のステップにて決められた閾値と比較することによって、搬送波が設定されているか否かを決定すること
【００１２】
入ってくるＤＡＢストリームに存在する複数のヌルシンボルの内の１つおきに選択されたヌルシンボルのスペクトルに含まれるＴＩＩの対を差動復調することを含むＴＩＩ搬送波の洗練された信号処理によって、送信機の検出に対する感度が増加し、検出誤差率が減少する。それによって、遅延の評価の正確さが強まり、信号対ノイズ比が低くても十分な正確さを有する航法が可能となる。
【００１３】
好ましくは、ＴＩＩ対の差動復調のステップは次のような２つのステップを含む。第１及び第２の周波数を含む周波数の対をグループ分けし、第１の周波数の複素振幅とそれと共役な第２の周波数の複素振幅の積を計算することである。但し、第１及び第２の周波数はそれぞれＴＩＩの対の周波数に対応する。
【００１４】
好ましくは、ノイズが適合化されて閾値が決められる。
【００１５】
本発明の更に他の例は特許請求の範囲の従属項に記載されている。
【００１６】
本発明によるＤＡＢストリームにおける送信機識別情報を検出するための方法の例についての好ましい且つ満足すべき試験結果が得られたが、それは以下に添付図面を参照して説明されよう。しかしながら、本発明の例の説明は、本発明の概念を制限するものであると理解されるべきでない。本発明の範囲は特許請求の範囲の第１項の主要部分によって規定され、それは等価な方法のステップ及び好ましい改良例を含む。
【００１７】
【発明の実施の形態】
以下の説明において基本的に同一機能を有する同一要素又は及び構成には同一の参照符号が使用されている。
【００１８】
図１は、本発明によるＤＡＢストリームの送信機識別情報を検出するための基本的な方法を示す。
【００１９】
第１のステップＳ１では、入ってくるＤＡＢストリームのＴＩＩ対を含むヌルシンボルのスペクトルＳ１（ω）が計算される。
【００２０】
次のステップＳ２及びＳ３では、ステップＳ１にて得られたスペクトルＳ１（ω）が差動復調される。即ち、ステップＳ２では、周波数の対、即ち、ＴＩＩ対の場合と同一の周波数の対がグループ分けされる。ステップＳ３では、第１の周波数の複素数振幅とそれと共役な第２の周波数の複素数振幅の積が計算される。それによって、スペクトルＭ１（ω）が得られる。
【００２１】
次のステップＳ４では、得られたスペクトルＭ１（ω）の搬送波（キャリア）の位相が補正される、これはＴＩＩ搬送波が送信機より偏奇された位相を有するためである。この偏奇量は、ＥＴＳ３００４０１にて規定されているようにＴＦＰＲ基準符号のものと同一である。ステップＳ４における搬送波の位相の補正は、ＴＦＰＲ基準符号の対応する位相差を引き算することによって実行される。ＴＦＰＲ基準符号は只４個の可能な位相、１，ｊ，−１，−ｊを有するから、対応する位相差による補正は、単に実数部分と虚数部分の交換及び符号の変化である。この補正動作の結果がスペクトルＣ１（ω）である。
【００２２】
ステップＳ４における位相の補正の後、図１１に示すように、ＴＩＩの対の集合の同一パターンを送信するスペクトルＣ１（ω）の４つの櫛形ブロックが、ＤＡＢモードＩに対して付加され、結果Ａ１（ω）を受ける。搬送波の集合は、相関する位相のために、増加するが、ノイズは、非相関な位相のために、比較的より小さくなる。これは単に実行され、それぞれ４個又は２個の櫛形ブロックが利用可能であるＤＡＢモードＩ及びＩＶにとって都合がよいから、このステップＳ５は他の全てのＤＡＢモードに対して省略される。
【００２３】
次のステップＳ６では、搬送波のパワーがステップＳ７にて決められた閾値より大きいか否かが各搬送波に対して決められる。もしその搬送波のパワーが閾値より大きかったら各搬送波に対して“１”が設定され、そうでなかったら“０”が設定される。次のステップＳ８では、コード化された主及びサブ識別情報が再生され、例えば、搬送波の位相差を評価することによって航法のために使用される。
【００２４】
図２は、送信機識別情報を検出するための本発明による方法の第２の例を示す。基本的には、図１を参照して説明した基本例と同様なステップが実行される。ステップＳ５とステップＳ６の間に、数個のフレームに亘って中間結果を平均化するステップＳ２１が付加的に挿入されている。
【００２５】
このステップが挿入されたのは次のような理由からである。もし信号対ノイズ比が受信機の感度の限界値に近いなら、より強いＴＩＩ搬送波が存在する場合に、より小さなＴＩＩ搬送波を検出するのは困難であり又は不可能でさえある。なぜなら搬送波のパワーはノイズレベルのオーダであり、信号のダイナミックレンジはＡ／Ｄ変換器及びＦＦＴ（高速フーリエ変換）チップ（それぞれ図１２の参照符号２５及び２７）によって制限されるからである。もしＴＩＩを有するヌルシンボルが数フレームに亘って付加されるなら、検出限界は、数デシベルだけ減少する。複素振幅を付加しても、ノイズのパワーの平均値は、その非相関的位相構造のため、一定であるが、ＴＩＩ搬送波の集合では、振幅は、略同一の位相角のため、増加する。利得は、平均化されたフレームの数によって増加する。送信システムの全体に亘って、搬送波の非静的な位相のため、この簡単な戦略は必ずしも適切に作動する必要はない。これはフレームからフレームまでの全シンボルに対して、付加的に位相がシフトする結果となるかもしれないからである。この問題は、図１に示した基本例に関して説明したように、ヌルシンボルの差動復調に遭遇するときに起きる。これは、搬送波とそれに続く共役な複素数の積がヌルシンボル全体に計算されることを意味する。復調されたヌルシンボルは、上述の性質を有する選択されたフレームに対して付加される。それゆえ、ステップＳ２１は復調のステップＳ２及びＳ３の後に挿入される。しかしながら、ステップＳ５の後に挿入されると、計算数及びメモリのための労力はより少なくてよい。
【００２６】
図３はＤＡＢストリームにおける送信機識別情報を検出するための本発明による方法の第３の例を示す。図１に示した基本例と比較すると、この第３の例は、ＴＩＩの対を含まないヌルシンボルのスペクトルＳ２（ω）を得るステップＳ３１と、ステップＳ１及びステップＳ３１にて得られたスペクトルを差し引くステップＳ３２とを、付加的に含む。それゆえ、ステップＳ３２は、平行して且つステップＳ２の前に実行されるステップＳ１及びＳ３１の後に挿入される。
【００２７】
ステップＳ３２にて、ＴＩＩを有するヌルシンボルとＴＩＩなしのヌルシンボルの間の差が演算される。この動作は、干渉雑音であるスプリアス周波数の系統誤差及び他の振幅の偏奇、例えば、図１１に示すように、スペクトルの平均振幅の増加の原因である前端のＳＡＷフィルタの形状を消去する。
【００２８】
図４は、ＤＡＢストリームにおける送信機識別情報を検出するための本発明による方法の第４の例を示す。この第４の例は図１に示した基本的方法に付加して、主及びサブ識別情報を有する高速情報チャンネル（ＦＩＣ）データベースを受け取るステップＳ４１と、主及びサブ識別情報をコード化するステップＳ４２とを含む。これらのステップは、ＴＩＩ対を含むヌルシンボルのスペクトルＳ１（ω）を得るステップＳ１と平行に実行される。その後の動作は、高速情報チャンネルにて送信されたＴＩＩデータベースの全ての主及びサブ識別情報の結合体のコード化によって受け入れられた位置に対して実行され、ヌルシンボルの全体に対して実行されるのではない。高速情報チャンネルでのＴＩＩ情報の完全なデータベースの送信は、ＥＴＳ３００４０１に規定されている。各受信機は、単一の周波数ネットワークの領域にどの主及びサブ識別情報が送信されるかをコード化することができる。受け取ったＴＩＩコードのサブ集合は、モバイル受信機のラフな位置決定を提供する。少なくとも３つの送信機及び双曲線航法の伝搬の遅延を評価することによって、より正確な位置決定が可能となる。
【００２９】
図５は、ＤＡＢストリームにおける送信機識別情報を検出するための本発明による方法の第５の例を示す。この例は主として、図１の基本例と図４の第４の例及び図３の第３の例の修正例を結合したものである。それゆえ、スペクトルＳ１（ω）、Ｓ２（ω）を受け入れるステップＳ１、Ｓ３１及び高速情報チャンネルデータベースを受け入れ主及びサブ識別情報をコード化するステップＳ４１及びＳ４２は平行して実行される。これらのステップより得られる全ての情報はステップＳ５１にて使用される。これは図３に関連して説明されたステップＳ３２に対応しているが、主及びサブ識別情報をコード化するステップＳ４２によって決められる周波数にてのみ両スペクトルを差し引く。ステップＳ５１の後、ステップＳ２より始まる全ての他のステップは、図１に示した基本例について説明されたのと同様な方法によって実行される。
【００３０】
図６は、ＤＡＢストリームにおける送信機識別情報を検出するための本発明による方法の第６の例を示す。この例は、図１の基本例に図２の第２の例から図４の第４の例までの修正例を結合したものである。それゆえ、ステップＳ５までは、図５の第５の例に関して説明されたのと同様な動作が実行される。ステップＳ５とステップＳ６の間に、数個のフレームに亘って中間結果を平均化するステップＳ２１が挿入されている。その後の全てのステップは上述のように実行される。
【００３１】
図７に検出閾値を決定するための２つの方法を示す。図７Ａに示す第１の方法によると、検出閾値はＴＩＩ対なしのヌルシンボルより得られるスペクトルＳ２（ω）より決定される。図７Ｂに示す第２の方法によると、検出閾値はＴＩＩ対を含むヌルシンボルより得られるスペクトルＳ１（ω）より決定される。
【００３２】
第１の方法では、ステップＡ１にて、ＴＩＩ対なしのヌルシンボルのスペクトルＳ２（ω）が得られる。次のステップＡ２では、信号スペクトルに亘ってノイズレベルの平均値（１．５ＭＨｚ）が構築される。このノイズパワーの平均値は、ステップＡ３にて、次のフレームのために記憶される。ステップＡ４では、この記憶されたノイズパワーの平均値に、櫛形ブロック数が乗算される。この値は、次のステップＡ５にて、信頼性ファクタとして１．２５が乗算される。ステップＡ６では、結果として得られた検出閾値が供給される。このステップは前述の各例のステップＳ７に対応している。
【００３３】
第２の方法では、先ず、ステップＢ１にて、ＴＩＩ対を含むヌルシンボルのスペクトルＳ１（ω）が得られる。次のステップＢ２では、信号スペクトルに亘ってノイズレベルの平均値（１．５ＭＨｚ）が構築される。この平均値に、ステップＢ３では、周波数ブロック数が乗算される。ステップＢ４では、結果として得られた値に信頼性ファクタである１．２５が乗算される。ＴＩＩ搬送波のため、ステップＢ５にて決定された検出閾値はノイズ振幅の実効値より僅かに高い。ステップＢ５は、閾値を決める第１の方法のステップＡ６と同様に、前述の各例のステップＳ７に対応している。
【００３４】
図８は第２の例及び第６の例のステップＳ２１の詳細を示し、櫛形ブロック全体に対して又は高速情報チャンネルデータベースの主及びサブ識別情報をコード化することによって得られた選択された搬送波に対して、数フレームに亘って中間結果を平均化する。
【００３５】
第１のステップＣ１では、付加された第ｎフレームの櫛形ブロックＡｎ（ω）（図２及び図６のステップＳ５）が、記憶されているＴＩＩを有する既に受け入れられたフレームの複素数搬送波に付加される。その合計値は、ステップＳ６にて、検出閾値と比較される。これと平行に、ステップＣ２では、最後のｍ個のスペクトルＡｎ−ｍ（ω）からＡｎ（ω）に対して、新たな浮動平均値が計算される。ステップＣ３では、この値は次のＤＡＢフレームに対して記憶されるが、それはＴＩＩを有している。
【００３６】
まだ１…ｍのＴＩＩフレームが受け入れられていない初期化位相の間、より少ないフレームの平均値が出力されるか又はｍ個のフレームが受け入れられるまで何も出力されない。
【００３７】
図１２はＤＡＢ受信機の構成例を示す。この受信機はＲＦ前端ステージ２３とデジタル処理ステージ２４とを含む。デジタル処理ステージ２４は、Ａ／Ｄ変換器２５、デジタルＩＱ発生回路２６、ＦＦＴ（高速フーリエ変換）回路２７、ビタビデコーダ２８、ＭＰＥＧデコーダ２９、オーディオＤ／Ａ変換器３０、デジタル信号プロセッサ３１及びマイクロコンピュータ３２を含む。デジタル処理ステージ２４には、ラウドスピーカ３３が接続されている。
【００３８】
図示のＤＡＢ受信機は通常のＤＡＢのように設計されまた基本的にはそのように作動するが、本発明によるＴＩＩ検出はデジタル信号プロセッサ３１において起きる。勿論、本発明による最適なＴＩＩ検出のために設計された特別な回路を使用することも可能であるが、それは図９に示したＴＩＩ検出回路と同様な構成である。
【００３９】
以上、本発明の実施の形態について詳細に説明してきたが、本発明は上述の例に限ることなく本発明の要旨を逸脱することなく他の種々の構成が採り得ることは当業者にとって容易に理解されよう。
【００４０】
【発明の効果】
本発明によると、ＤＡＢストリームのヌルシンボルにおける送信機識別情報信号の検出方法において、信号対ノイズ比が低いときでも信頼性ある結果を供給することができる利点がある。
【図面の簡単な説明】
【図１】本発明の方法の基本例である第１の例を示す図である。
【図２】本発明の方法の第２の例を示す図である。
【図３】本発明の方法の第３の例を示す図である。
【図４】本発明の方法の第４の例を示す図である。
【図５】本発明の基本例と第３及び第４の例の修正例を結合することによって構築された本発明の方法の第５の例を示す図である。
【図６】本発明の基本例と第２、第３及び第４の例の修正例を結合することによって構築された本発明の方法の第６の例を示す図である。
【図７】図７ＡはＴＩＩ対を含まないヌルシンボルのスペクトルに基づいた検出閾値を決める方法を示し、図７ＢはＴＩＩ対を含むヌルシンボルのスペクトルに基づいた検出閾値を決める方法を示す。
【図８】中間結果を平均化する第２及び第６の例におけるステップＳ２１の詳細を示す図である。
【図９】ＤＡＢシステムの一般的概略を示す図である。
【図１０】従来の送信機識別情報の検出方法を示す図である。
【図１１】受信機に入ってくるＴＩＩを含むヌルシンボルのスペクトルの形状を示す図である。
【図１２】ＤＡＢ受信機の可能な例を示す図である。
【符号の説明】
１…音声エンコーダ、  ２…畳み込みエンコーダ、  ３…時間インタリービング回路、  ４…高速情報チャンネル（ＦＩＣ）発生回路、  ５…マルチプレクサ、６…周波数インタリービング回路、  ７…位相基準符号発生回路、  ８…ヌルシンボル発生器及びＴＩＩ発生回路、  ９…マルチプレクサ、  １０…ＩＦＦＴ（逆高速フーリエ変換）回路、  １１…Ｄ／Ａ変換器、  １２…ＲＦ送信機、１３…チャンネル、  １４…ＲＦ受信機、  １５…Ａ／Ｄ変換器、  １６…ＦＦＴ（高速フーリエ変換）回路、１７…同期回路、  １８…ＴＩＩ検出回路、  １９…復調回路、  ２０…デインタリービング回路、  ２１…ビタビデコーダ、  ２２…音声デコーダ、  ２３…ＲＦ前端ステージ、  ２４…デジタル処理ステージ、  ２５…Ａ／Ｄ変換器、  ２６…デジタルＩＱ発生回路、  ２７…ＦＦＴ（高速フーリエ変換）回路、  ２８ビタビデコーダ、  ２９…ＭＰＥＧデコーダ、  ３０…オーディオＤ／Ａ変換器、  ３１…デジタル信号プロセッサ、  ３２…マイクロコンピュータ、３３…ラウドスピーカ
【図１】
0003954729.tif 000002
【図２】
0003954729.tif 000003
【図３】
0003954729.tif 000004
【図４】
0003954729.tif 000005
【図５】
0003954729.tif 000006
【図６】
0003954729.tif 000007
【図７】
0003954729.tif 000008
【図８】
0003954729.tif 000009
【図９】
0003954729.tif 000010
【図１０】
0003954729.tif 000011
【図１１】
0003954729.tif 000012
【図１２】
0003954729.tif 000013